(57)【要約】【課題】外装材の一部分の張出しを抑える。【解決手段】第１領域２１０は、積層体１００の第３側面１０４ｃに沿って折り曲げられている。第２領域２２０は、第１領域２１０に対して、積層体１００の第１側面１０４ａに向けて折り曲げられている。第３領域２３０は、第１領域２１０に対して、積層体１００の第２側面１０４ｂに向けて折り曲げられている。第４領域２４０は、積層体１００の第４側面１０４ｄに沿って折り曲げられている。第５領域２５０は、第４領域２４０に対して、積層体１００の第１側面１０４ａに向けて折り曲げられている。第６領域２６０は、第４領域２４０に対して、積層体１００の第２側面１０４ｂに向けて折り曲げられている。第７領域２７０は、積層体１００の第２側面１０４ｂに沿って折り曲げられている。【選択図】図１
2019185915.tif 000002
【特許請求の範囲】
【請求項１】
第１電極、第２電極及びセパレータを含み、第１面と、前記第１面の反対側の第２面と、前記第１面と前記第２面の間の第１側面と、前記第１側面の反対側の第２側面と、第１リードが形成され、前記第１側面と前記第２側面の間の第３側面と、前記第３側面の反対側の第４側面と、を有する積層体を準備して、前記積層体の前記第１面から前記第１側面を経由して前記第２面にかけて外装材を折り返す工程と、
前記外装材を折り返した後、前記外装材のうちの第１領域を前記積層体の前記第１面又は前記第２面に向けて前記積層体の前記第３側面に沿って折り曲げる工程と、
前記外装材のうちの前記第１領域を折り曲げた後、前記外装材のうちの第２領域を、前記第１領域に対して、前記積層体の前記第１側面又は前記第３側面に向けて折り曲げる工程と、
を含む、電池の製造方法。
【請求項２】
請求項１に記載の電池の製造方法において、
前記外装材のうちの前記第１領域を折り曲げた後、前記外装材のうちの第３領域を、前記第１領域に対して、前記積層体の前記第１側面又は前記第４側面に向けて折り曲げる工程をさらに含む、電池の製造方法。
【請求項３】
請求項１又は２に記載の電池の製造方法において、
前記積層体の前記第４側面には、第２リードが形成されており、
前記外装材のうちの第４領域を前記積層体の前記第１面又は前記第２面に向けて前記積層体の前記第４側面に沿って折り曲げる工程と、
前記外装材のうちの前記第４領域を折り曲げた後、前記外装材のうちの第５領域を、前記第４領域に対して、前記積層体の前記第１側面又は前記第４側面に向けて折り曲げる工程と、
をさらに含む、電池の製造方法。
【請求項４】
請求項３に記載の電池の製造方法において、
前記外装材のうちの前記第４領域を折り曲げた後、前記外装材のうちの第６領域を、前記第４領域に対して、前記積層体の前記第２側面又は前記第４側面に向けて折り曲げる工程をさらに含む、電池の製造方法。
【請求項５】
請求項３又は４に記載の電池の製造方法において、
前記外装材のうちの前記第１領域を折り曲げる工程において、前記外装材のうちの前記第１領域を前記第１面及び前記第２面のうちの一方に向けて折り曲げ、
前記外装材のうちの前記第４領域を折り曲げる工程において、前記外装材のうちの前記第４領域を前記第１面及び前記第２面のうちのもう一方に向けて折り曲げる、電池の製造方法。
【請求項６】
請求項１から５までのいずれか一項に記載の電池の製造方法において、
前記外装材を折り返した後、前記外装材は、前記積層体の前記第１面から前記第３側面にかけて第１の折り目を有し、前記積層体の前記第２面から前記第３側面にかけて第２の折り目を有し、
前記外装材の前記第２の折り目の位置は、前記第３側面から前記第４側面にかけての前記積層体の長さ方向において、前記外装材の第１の折り目の位置からずれている、電池の製造方法。
【請求項７】
第１電極、第２電極及びセパレータを含み、第１面と、前記第１面の反対側の第２面と、前記第１面と前記第２面の間の第１側面と、前記第１側面の反対側の第２側面と、第１リードが形成され、前記第１側面と前記第２側面の間の第３側面と、前記第３側面の反対側の第４側面と、を有する積層体と、
前記積層体の前記第１面から前記第１側面を経由して前記第２面にかけて折り返されている外装材と、
を含み、
前記外装材は、
前記積層体の前記第１面又は前記第２面に向けて前記積層体の前記第３側面に沿って折り曲げられた第１領域と、
前記第１領域に対して、前記積層体の前記第１側面又は前記第３側面に向けて折り曲げられた第２領域と、
を含む、電池。
【請求項８】
請求項７に記載の電池において、
前記外装材は、前記第１領域に対して、前記積層体の前記第１側面又は前記第４側面に向けて折り曲げられた第３領域をさらに含む、電池。
【請求項９】
請求項７又は８に記載の電池において、
前記積層体の前記第４側面には、第２リードが形成されており、
前記外装材は、
前記積層体の前記第１面又は前記第２面に向けて前記積層体の前記第４側面に沿って折り曲げられた第４領域と、
前記第４領域に対して、前記積層体の前記第１側面又は前記第４側面に向けて折り曲げられた第５領域と、
をさらに含む、電池。
【請求項１０】
請求項９に記載の電池において、
前記外装材は、前記第４領域に対して、前記積層体の前記第２側面又は前記第４側面に向けて折り曲げられた第６領域をさらに含む、電池。
【請求項１１】
請求項９又は１０に記載の電池において、
前記外装材の前記第１領域は、前記第１面及び前記第２面のうちの一方に向けて折り曲げられており、
前記外装材の前記第４領域は、前記第１面及び前記第２面のうちのもう一方に向けて折り曲げられている、電池。
【請求項１２】
請求項７から１１までのいずれか一項に記載の電池において、
前記外装材は、前記積層体の前記第１面から前記第３側面にかけて第１の折り目を有し、前記積層体の前記第２面から前記第３側面にかけて第２の折り目を有し、
前記外装材の前記第２の折り目の位置は、前記第３側面から前記第４側面にかけての前記積層体の長さ方向において、前記外装材の第１の折り目の位置からずれている、電池。
【発明の詳細な説明】
【技術分野】
【０００１】
本発明は、電池の製造方法及び電池に関する。
【背景技術】
【０００２】
近年、非水電解液二次電池、特に、リチウムイオン二次電池が開発されている。リチウムイオン二次電池は、正極、負極及びセパレータを含む積層体を有している。正極、負極及びセパレータは、正極と負極がセパレータによって隔てられるように積層されている。積層体は、外装材によって包まれている。
【０００３】
特許文献１には、積層体を外装材によって包む方法の一例について記載されている。積層体は、第１面、第２面、第１側面、第２側面、第３側面及び第４側面を有している。第２面は、第１面の反対側にある。第１側面は、第１面と第２面の間にある。第２側面は、第１側面の反対側にある。第３側面は、第１側面と第２側面の間にあり、第３側面には、第１リード及び第２リードが形成されている。第４側面は、第３側面の反対側にある。外装材は、第１面から第４側面を経由して第２面にかけて折り返されている。積層体の第１側面、第２側面及び第３側面からは、外装材の一部分が張り出している。外装材のこの一部分は、積層体の各側面に沿って折り曲げられている。
【先行技術文献】
【特許文献】
【０００４】
【特許文献１】特開２００２−３１９３７５号公報
【発明の概要】
【発明が解決しようとする課題】
【０００５】
本発明者は、積層体を外装材によって包む一部の方法においては、外装材の一部分が張り出すことを見出した。
【０００６】
本発明の目的は、外装材の一部分の張出しを抑えることにある。
【課題を解決するための手段】
【０００７】
本発明によれば、
第１電極、第２電極及びセパレータを含み、第１面と、前記第１面の反対側の第２面と、前記第１面と前記第２面の間の第１側面と、前記第１側面の反対側の第２側面と、第１リードが形成され、前記第１側面と前記第２側面の間の第３側面と、前記第３側面の反対側の第４側面と、を有する積層体を準備して、前記積層体の前記第１面から前記第１側面を経由して前記第２面にかけて外装材を折り返す工程と、
前記外装材を折り返した後、前記外装材のうちの第１領域を前記積層体の前記第１面又は前記第２面に向けて前記積層体の前記第３側面に沿って折り曲げる工程と、
前記外装材のうちの前記第１領域を折り曲げた後、前記外装材のうちの第２領域を、前記第１領域に対して、前記積層体の前記第１側面又は前記第３側面に向けて折り曲げる工程と、
を含む、電池の製造方法が提供される。
【０００８】
本発明によれば、
第１電極、第２電極及びセパレータを含み、第１面と、前記第１面の反対側の第２面と、前記第１面と前記第２面の間の第１側面と、前記第１側面の反対側の第２側面と、第１リードが形成され、前記第１側面と前記第２側面の間の第３側面と、前記第３側面の反対側の第４側面と、を有する積層体と、
前記積層体の前記第１面から前記第１側面を経由して前記第２面にかけて折り返されている外装材と、
を含み、
前記外装材は、
前記積層体の前記第１面又は前記第２面に向けて前記積層体の前記第３側面に沿って折り曲げられた第１領域と、
前記第１領域に対して、前記積層体の前記第１側面又は前記第３側面に向けて折り曲げられた第２領域と、
を含む、電池が提供される。
【発明の効果】
【０００９】
本発明によれば、外装材の一部分の張出しを抑えることができる。
【図面の簡単な説明】
【００１０】
【図１】実施形態に係る電池の上面図である。
【図２】図１に示した電池の正面図である。
【図３】図１に示した電池の正面側の右側面図である。
【図４】図１に示した電池の正面側の左側面図である。
【図５】図１に示した電池の背面図である。
【図６】図１に示した電池の背面側の右側面図である。
【図７】図１に示した電池の背面側の左側面図である。
【図８】（ａ）は、図１から図７に示した積層体の上面図であり、（ｂ）は、（ａ）に示した積層体の左側面図である。
【図９】図１から図７に示した電池の製造方法の一例を説明するための図である。
【図１０】図１から図７に示した電池の製造方法の一例を説明するための図である。
【図１１】図１から図７に示した電池の製造方法の一例を説明するための図である。
【図１２】図１から図７に示した電池の製造方法の一例を説明するための図である。
【図１３】図１から図７に示した電池の製造方法の一例を説明するための図である。
【図１４】図１から図７に示した電池の製造方法の一例を説明するための図である。
【図１５】図１から図７に示した電池の製造方法の一例を説明するための図である。
【図１６】変形例１に係る電池を説明するための上面図である。
【図１７】図１６に示した電池の正面側の右側面図である。
【図１８】変形例２に係る電池の正面側の右側面図である。
【発明を実施するための形態】
【００１１】
以下、本発明の実施の形態について、図面を用いて説明する。尚、すべての図面において、同様な構成要素には同様の符号を付し、適宜説明を省略する。
【００１２】
図１は、実施形態に係る電池１０の上面図である。図２は、図１に示した電池１０の正面図である。図３は、図１に示した電池１０の正面側の右側面図である。図４は、図１に示した電池１０の正面側の左側面図である。図５は、図１に示した電池１０の背面図である。図６は、図１に示した電池１０の背面側の右側面図である。図７は、図１に示した電池１０の背面側の左側面図である。図８（ａ）は、図１から図７に示した積層体１００の上面図である。図８（ｂ）は、図８（ａ）に示した積層体１００の左側面図である。
【００１３】
図１から図７を用いて、電池１０の概要を説明する。電池１０は、積層体１００及び外装材２００を含んでいる。積層体１００は、第１面１０２ａ、第２面１０２ｂ、第１側面１０４ａ、第２側面１０４ｂ、第３側面１０４ｃ及び第４側面１０４ｄを有している。第１側面１０４ａは、第１面１０２ａと第２面１０２ｂの間にある。第２側面１０４ｂは、第１側面１０４ａの反対側にある。第３側面１０４ｃは、第１側面１０４ａと第２側面１０４ｂの間にある。第３側面１０４ｃには、第１リード１１２が形成されている。第４側面１０４ｄは、第３側面１０４ｃの反対側にある。外装材２００は、積層体１００の第１面１０２ａから第１側面１０４ａを経由して第２面１０２ｂにかけて折り返されている。外装材２００は、第１領域２１０及び第２領域２２０を含んでいる。第１領域２１０は、積層体１００の第１面１０２ａ又は第２面１０２ｂに向けて（図１から図７に示す例では、積層体１００の第１面１０２ａに向けて）第３側面１０４ｃに沿って折り曲げられている。第２領域２２０は、第１領域２１０に対して、積層体１００の第１側面１０４ａ又は第３側面１０４ｃに向けて（図１から図７に示す例では、積層体１００の第１側面１０４ａに向けて）折り曲げられている。
【００１４】
上述した構成によれば、外装材２００の一部分の張出しを抑えることができる。具体的には、上述した構成においては、外装材２００は、積層体１００の第１面１０２ａから第１側面１０４ａを経由して第２面１０２ｂにかけて折り返されている。この場合、図１２から図１４を用いて後述するように、外装材２００の第１領域２１０及び第２領域２２０が張り出し得る。これに対して、上述した構成においては、第１領域２１０は、積層体１００の第１面１０２ａ又は第２面１０２ｂに向けて第３側面１０４ｃに沿って折り曲げられており、第２領域２２０は、第１領域２１０に対して、積層体１００の第１側面１０４ａ又は第３側面１０４ｃに向けて折り曲げられている。したがって、外装材２００の一部分（すなわち、第１領域２１０及び第２領域２２０）の張出しを抑えることができる。
【００１５】
図８を用いて、積層体１００の詳細を説明する。
【００１６】
積層体１００は、第１電極１１０、第２電極１２０及びセパレータ１３０を含んでいる。第１電極１１０及び第２電極１２０は、互いに異なる極性を有しており、それぞれ、正極及び負極であってもよいし、又は、それぞれ、負極及び正極であってもよい。第１電極１１０、第２電極１２０及びセパレータ１３０は、第１電極１１０と第２電極１２０がセパレータ１３０によって隔てられるように一方向（図内のＺ方向）に積層されている。積層体１００は、複数の第１電極１１０及び複数の第２電極１２０を含んでいてもよい。この場合、隣り合う第１電極１１０と第２電極１２０がセパレータ１３０によって隔てられる。
【００１７】
積層体１００は、実質的に直方体の形状を有している。積層体１００は、第１面１０２ａ、第２面１０２ｂ、第１側面１０４ａ、第２側面１０４ｂ、第３側面１０４ｃ及び第４側面１０４ｄを有している。第２面１０２ｂは、第１面１０２ａの反対側にある。第１側面１０４ａは、第１面１０２ａと第２面１０２ｂの間にある。第２側面１０４ｂは、第１側面１０４ａの反対側にある。第３側面１０４ｃは、第１側面１０４ａと第２側面１０４ｂの間にある。第４側面１０４ｄは、第３側面１０４ｃの反対側にある。積層体１００は、第１面１０２ａと第２面１０２ｂの間に厚さＴを有しており、第１側面１０４ａと第２側面１０４ｂの間に幅Ｗを有しており、第３側面１０４ｃと第４側面１０４ｄの間に長さＬを有している。
【００１８】
図８に示す例では、積層体１００の長さＬは、積層体１００の幅Ｗよりも大きくなっている。幅Ｗに対する長さＬの比Ｌ／Ｗが大きいと、積層体１００の第１側面１０４ａ又は第２側面１０４ｂが下方を向くように積層体１００を載置しやすくなる。積層体１００の第１側面１０４ａ又は第２側面１０４ｂが下方を向くように積層体１００を安定的に載置させるため、上述した比Ｌ／Ｗを例えば２．０超にすることができる。
【００１９】
積層体１００の第３側面１０４ｃからは、第１リード１１２が突出している。第１リード１１２は、積層体１００の第１電極１１０に電気的に接続している。
【００２０】
積層体１００の第４側面１０４ｄからは、第２リード１２２が突出している。第２リード１２２は、積層体１００の第２電極１２０に電気的に接続している。
【００２１】
図１から図７を用いて、電池１０の詳細を説明する。
【００２２】
図１に示すように、外装材２００は、第１領域２１０、第２領域２２０、第３領域２３０、第４領域２４０、第５領域２５０、第６領域２６０及び第７領域２７０を含んでいる。
【００２３】
図２から図４を用いて、外装材２００の第１領域２１０、第２領域２２０及び第３領域２３０について説明する。
【００２４】
第１領域２１０は、積層体１００の第１面１０２ａに向けて積層体１００の第３側面１０４ｃに沿って折り曲げられている。したがって、第１領域２１０は、積層体１００の第３側面１０４ｃに沿っており、第１領域２１０の張出しが抑えられている。他の例において、第１領域２１０は、積層体１００の第２面１０２ｂに向けて積層体１００の第３側面１０４ｃに沿って折り曲げられていてもよい。
【００２５】
後述する図１２から明らかなように、第１領域２１０では、外装材２００のうちの一部分同士が第１リード１１２を挟んで互いに貼り合わされている。一例において、第１領域２１０のうちのこの一部分同士は、互いに溶着させることができる。第１領域２１０は、封止部として機能している。図２から図４に示す例では、第１リード１１２は、第１領域２１０とともに積層体１００の第３側面１０４ｃに沿って積層体１００の長さ方向（図内のＸ方向）から積層体１００の厚さ方向（図内のＺ方向）に折り曲げられており、第１領域２１０の外側において積層体１００の厚さ方向（図内のＺ方向）から積層体１００の長さ方向（図内のＸ方向）に折り曲げられている。
【００２６】
第２領域２２０は、第１領域２１０に対して、積層体１００の第１側面１０４ａに向けて折り曲げられている。したがって、第２領域２２０は、積層体１００の第１側面１０４ａに沿っており、第２領域２２０の張出しが抑えられている。
【００２７】
第３領域２３０は、第１領域２１０に対して、積層体１００の第２側面１０４ｂに向けて折り曲げられている。したがって、第３領域２３０は、積層体１００の第２側面１０４ｂに沿っており、第３領域２３０の張出しが抑えられている。
【００２８】
図５から図７を用いて、外装材２００の第４領域２４０、第５領域２５０及び第６領域２６０について説明する。
【００２９】
第４領域２４０は、積層体１００の第２面１０２ｂに向けて積層体１００の第４側面１０４ｄに沿って折り曲げられている。したがって、第４領域２４０は、積層体１００の第４側面１０４ｄに沿っており、第４領域２４０の張出しが抑えられている。他の例において、第４領域２４０は、積層体１００の第１面１０２ａに向けて積層体１００の第４側面１０４ｄに沿って折り曲げられていてもよい。
【００３０】
第１領域２１０と同様にして（例えば、図１２）、第４領域２４０では、外装材２００のうちの一部分同士が第２リード１２２を挟んで互いに貼り合わされている。一例において、第４領域２４０のうちのこの一部分同士は、互いに溶着させることができる。第４領域２４０は、封止部として機能している。図５から図７に示す例では、第２リード１２２は、第４領域２４０とともに積層体１００の第４側面１０４ｄに沿って積層体１００の長さ方向（図内のＸ方向）から積層体１００の厚さ方向（図内のＺ方向）に折り曲げられており、第４領域２４０の外側において積層体１００の厚さ方向（図内のＺ方向）から積層体１００の長さ方向（図内のＸ方向）に折り曲げられている。
【００３１】
第５領域２５０は、第４領域２４０に対して、積層体１００の第１側面１０４ａに向けて折り曲げられている。したがって、第５領域２５０は、積層体１００の第１側面１０４ａに沿っており、第５領域２５０の張出しが抑えられている。
【００３２】
第６領域２６０は、第４領域２４０に対して、積層体１００の第２側面１０４ｂに向けて折り曲げられている。したがって、第６領域２６０は、積層体１００の第２側面１０４ｂに沿っており、第６領域２６０の張出しが抑えられている。
【００３３】
図１から図７に示す例では、第１領域２１０及び第４領域２４０は、積層体１００の厚さ方向（図内のＺ方向）に沿って互いに反対側に向けて折り曲げられており、具体的には、第１領域２１０は、積層体１００の第１面１０２ａに向けて折り曲げられているのに対して、第４領域２４０は、積層体１００の第２面１０２ｂに向けて折り曲げられている。したがって、第１リード１１２の先端（第１領域２１０から露出する部分）及び第２リード１２２の先端（第４領域２４０から露出する部分）を積層体１００の厚さ方向（図内のＺ方向）において互いずらすことができる。したがって、複数の電池１０を、一の電池１０の第１リード１１２の先端が他の電池１０の第２リード１２２の先端と重なるように、直列に接続することができ、複数の電池１０の直列接続が容易になる。
【００３４】
他の例において、第１領域２１０及び第４領域２４０は、積層体１００の厚さ方向（図内のＺ方向）に沿って互いに同じ側に向けて折り曲げられていてもよい。
【００３５】
図１、図４及び図７を用いて、外装材２００の第７領域２７０について説明する。
【００３６】
第７領域２７０は、積層体１００の第２側面１０４ｂに沿って延伸している。第７領域２７０では、外装材２００の一部分同士が互いに貼り合わされている。一例において、第７領域２７０のうちのこの一部分同士は、互いに溶着させることができる。第７領域２７０は、封止部として機能している。図１、図４及び図７に示す例では、第７領域２７０は、積層体１００の第２側面１０４ｂに沿って積層体１００の第１面１０２ａ又は第２面１０２ｂに向けて（図１、図４及び図７に示す例では、積層体１００の第２面１０２ｂに向けて）折り曲げられている。したがって、第７領域２７０の張出しが抑えられている。
【００３７】
外装材２００は、第１面１０２ａから第１側面１０４ａを経由して第２面１０２ｂにかけて折り返されており、したがって、第１側面１０４ａに沿ったシール部（第１領域２１０、第４領域２４０又は第７領域２７０に相当する領域）を有していない。したがって、外装材２００のうちの第１側面１０４ａに沿った部分の張出しを抑えることができる。
【００３８】
図９から図１５は、図１から図７に示した電池１０の製造方法の一例を説明するための図である。図９から図１１は、同一工程を示しており、図１２から図１４は、同一工程を示している。この例において、電池１０は、以下のようにして製造される。
【００３９】
まず、図９から図１１に示すように、積層体１００の第１面１０２ａから第１側面１０４ａを経由して第２面１０２ｂにかけて外装材２００を折り返す。図９に示す例では、第７領域２７０が積層体１００の第１面１０２ａに沿うように外装材２００が折り返されている。第７領域２７０は、外装材２００を折り返す前に封止させてもよいし、又は外装材２００を折り返した後に封止させてもよい。
【００４０】
次いで、図１２から図１４に示すように、第１リード１１２を挟んで外装材２００の一部分同士を重ね合わせる。これによって、外装材２００の第１領域２１０が積層体１００の長さ方向（図内のＸ方向）において積層体１００の第３側面１０４ｃの外側に張り出し、外装材２００の第２領域２２０が積層体１００の幅方向（図内のＹ方向）において積層体１００の第１側面１０４ａの外側に張り出し、外装材２００の第３領域２３０が積層体１００の幅方向（図内のＹ方向）において積層体１００の第２側面１０４ｂの外側に張り出す。次いで、外装材２００の上記一部分同士を互いに溶着させることで第１領域２１０を封止する。外装材２００の第２領域２２０は、おおよそ、積層体１００の厚さＴ（図８）の半分だけ張り出す。第２領域２２０の張出しは、一定の条件、特に、積層体１００の第１側面１０４ａが下方を向くように電池１０を載置する場合に妨げとなる。したがって、第２領域２２０の折曲げ（例えば、図３）は、積層体１００の厚さＴ（図８）が厚く、例えば、５．０ｍｍ以上、７．５ｍｍ以上又は１０．０ｍｍ以上であるとき、特に有意義である。
【００４１】
図１２から図１４に示した例と同様にして、第２リード１２２を挟んで外装材２００の一部分同士を重ね合わせる。これによって、外装材２００の第４領域２４０が積層体１００の長さ方向（図内のＸ方向）において積層体１００の第４側面１０４ｄの外側に張り出し、外装材２００の第５領域２５０が積層体１００の幅方向（図内のＹ方向）において積層体１００の第１側面１０４ａの外側に張り出し、外装材２００の第６領域２６０が積層体１００の幅方向（図内のＹ方向）において積層体１００の第２側面１０４ｂの外側に張り出す。次いで、外装材２００の上記一部分同士を互いに溶着させることで第４領域２４０を封止する。
【００４２】
次いで、図１５に示すように、外装材２００のうちの第１領域２１０を積層体１００の第１面１０２ａ又は第２面１０２ｂに向けて（図１５に示す例では、積層体１００の第１面１０２ａに向けて）積層体１００の第３側面１０４ｃに沿って折り曲げる。これによって、第１領域２１０が積層体１００の第３側面１０４ｃに沿うようになり、第１領域２１０の張出しが抑えられる。
【００４３】
図１５に示した例と同様にして、外装材２００のうちの第３領域２３０を積層体１００の第１面１０２ａ又は第２面１０２ｂに向けて積層体１００の第４側面１０４ｄに沿って折り曲げる。これによって、第４領域２４０が積層体１００の第４側面１０４ｄに沿うようになり、第４領域２４０の張出しが抑えられる。
【００４４】
次いで、図１から図７に示すように、外装材２００のうちの第２領域２２０を、第１領域２１０に対して、積層体１００の第１側面１０４ａ又は第３側面１０４ｃに向けて（図１から図７に示す例では、積層体１００の第３側面１０４ｃに向けて）折り曲げる。同様にして、外装材２００のうちの第３領域２３０を、第１領域２１０に対して、積層体１００の第２側面１０４ｂ又は第３側面１０４ｃに向けて（図１から図７に示す例では、積層体１００の第３側面１０４ｃに向けて）折り曲げる。同様にして、外装材２００のうちの第５領域２５０を、第４領域２４０に対して、積層体１００の第１側面１０４ａ又は第４側面１０４ｄに向けて（図１から図７に示す例では、積層体１００の第４側面１０４ｄに向けて）折り曲げる。同様にして、外装材２００のうちの第６領域２６０を、第４領域２４０に対して、積層体１００の第２側面１０４ｂ又は第４側面１０４ｄに向けて（図１から図７に示す例では、積層体１００の第４側面１０４ｄに向けて）折り曲げる。これによって、第２領域２２０、第３領域２３０、第５領域２５０及び第６領域２６０の張出しを抑えることができる。
【００４５】
このようにして、電池１０が製造される。
【００４６】
（変形例１）
図１６は、変形例１に係る電池１０を説明するための上面図である。図１７は、図１６に示した電池１０の正面側の右側面図である。変形例１に係る電池１０は、以下の点を除いて、実施形態に係る電池１０と同様である。
【００４７】
図１６及び図１７に示すように、外装材２００の第２領域２２０及び第３領域２３０は、積層体１００の第３側面１０４ｃに向けて折り曲げられていてもよい。特に図１６及び図１７に示す例では、第２領域２２０及び第３領域２３０は、それぞれ、積層体１００の第１側面１０４ａ及び第２側面１０４ｂに沿っている。この例においては、積層体１００の幅方向（図内のＹ方向）における第２領域２２０及び第３領域２３０の張出しを抑えることができる。他の例において、第２領域２２０及び第３領域２３０は、積層体１００の第３側面１０４ｃに沿っていてもよい。
【００４８】
図１６及び１７に示した例と同様にして、外装材２００の第５領域２５０及び第６領域２６０は、積層体１００の第４側面１０４ｄに向けて折り曲げられていてもよい。
【００４９】
（変形例２）
図１８は、変形例２に係る電池１０の正面側の右側面図である。変形例２に係る電池１０は、以下の点を除いて、実施形態に係る電池１０と同様である。
【００５０】
図１８に示す例において、外装材２００は、積層体１００の第１面１０２ａから第３側面１０４ｃにかけて折り目２１２（第１の折り目）を有しており、積層体１００の第２面１０２ｂから第３側面１０４ｃにかけて折り目２１４（第２の折り目）を有している。折り目２１４の位置は、積層体１００の長さ方向（図内のＸ方向）において、折り目２１２の位置からずれている。このような構成においては、外装材２００の折り目２１２が積層体１００の第３側面１０４ｃから離間して、積層体１００の第３側面１０４ｃから外装材２００の折り目２１２にかけて、電池１０の部材（例えば、第１リード１１２の一部分）を収容するためのスペースを確保することができる。
【００５１】
図１８に示した例と同様にして、外装材２００は、積層体１００の第１面１０２ａから第４側面１０４ｄにかけて第３の折り目を有しており、積層体１００の第２面１０２ｂから第４側面１０４ｄにかけて第４の折り目を有しており、第４の折り目の位置は、積層体１００の長さ方向（図内のＸ方向）において、第３の折り目の位置からずれていてもよい。
【００５２】
以上、図面を参照して本発明の実施形態について述べたが、これらは本発明の例示であり、上記以外の様々な構成を採用することもできる。
【符号の説明】
【００５３】
１０  電池
１００  積層体
１０２ａ  第１面
１０２ｂ  第２面
１０４ａ  第１側面
１０４ｂ  第２側面
１０４ｃ  第３側面
１０４ｄ  第４側面
１１０  第１電極
１１２  第１リード
１２０  第２電極
１２２  第２リード
１３０  セパレータ
２００  外装材
２１０  第１領域
２１２  折り目
２１４  折り目
２２０  第２領域
２３０  第３領域
２４０  第４領域
２５０  第５領域
２６０  第６領域
２７０  第７領域
【図１】
2019185915.tif 000003
【図２】
2019185915.tif 000004
【図３】
2019185915.tif 000005
【図４】
2019185915.tif 000006
【図５】
2019185915.tif 000007
【図６】
2019185915.tif 000008
【図７】
2019185915.tif 000009
【図８】
2019185915.tif 000010
【図９】
2019185915.tif 000011
【図１０】
2019185915.tif 000012
【図１１】
2019185915.tif 000013
【図１２】
2019185915.tif 000014
【図１３】
2019185915.tif 000015
【図１４】
2019185915.tif 000016
【図１５】
2019185915.tif 000017
【図１６】
2019185915.tif 000018
【図１７】
2019185915.tif 000019
【図１８】
2019185915.tif 000020